(57)【要約】【課題】重心位置を調整可能なゴルフパター用ヘッド装置を提供することである。【解決手段】ゴルフパター用ヘッド装置１０は、平坦な表面を有するフェイス部１２と、フェイス部１２の裏面側に設けられ、重心の調整機構を有するキャビティ部１４と、を備え、キャビティ部１４は、裏面の先端側に設けられるトゥ部１６と、裏面の基端側に設けられるヒール部１８と、トゥ部１６からヒール部１８に渡って伸び、頭部に設けられる工具孔２３が回されることで回転可能な螺子棒部２２と、螺子棒部２２に螺合し、回転により先端側又は基端側に移動可能な錘部２０と、を有することを特徴とする。【選択図】図１
2020078370.tif 000002
【特許請求の範囲】
【請求項１】
平坦な表面を有するフェイス部と、
前記フェイス部の裏面側に設けられ、重心の調整機構を有するキャビティ部と、
を備え、
前記キャビティ部は、
前記裏面の先端側に設けられるトゥ部と、
前記裏面の基端側に設けられるヒール部と、
前記トゥ部から前記ヒール部に渡って伸び、頭部に設けられる工具孔が回されることで回転可能な螺子棒部と、
前記螺子棒部に螺合し、前記回転により前記先端側又は前記基端側に移動可能な錘部と、
を有することを特徴とするゴルフパター用ヘッド装置。
【請求項２】
請求項１に記載のゴルフパター用ヘッド装置において、
前記フェイス部は、前記裏面に前記錘部を案内するための案内溝を有し、
前記錘部は、前記案内溝に案内されるように突出する突起部を有することを特徴とするゴルフパター用ヘッド装置。
【請求項３】
請求項１または請求項２に記載のゴルフパター用ヘッド装置において、
前記キャビティ部は、
前記トゥ部と前記ヒール部の間に設けられた中央部をさらに有し、
前記螺子棒部は、前記トゥ部から前記中央部に渡って伸びる第１棒部と、前記第１棒部とは独立して設けられ前記ヒール部から前記中央部に渡って伸びる第２棒部とを含み、
前記錘部は、前記第１棒部に螺合し前記第１棒部の回転に応じて移動する第１錘部と、前記第２棒部に螺合し前記第２棒部の回転に応じて移動する第２錘部とを含むことを特徴とするゴルフパター用ヘッド装置。
【発明の詳細な説明】
【技術分野】
【０００１】
本発明は、ゴルフパター用ヘッド装置に関する。
【背景技術】
【０００２】
従来、ゴルフの競技において、グリーン上ではパターを用いたパッティングがなされている。本発明に関連する技術として、例えば、特許文献１には、パターヘッドに対するシャフトのライ角と、パターヘッドに対するシャフトの取り付け位置とを変更可能なパターであって、円筒形状を有するヘッド本体と、前記ヘッド本体内に収納可能な円柱状の芯と、その先端が前記芯に接続されるシャフトと、前記ヘッド本体に接続されるフェイス板と、を備え、前記ヘッド本体には、パターヘッドに対するシャフトのライ角と、パターヘッドに対するシャフトの取り付け位置とを変更するための切り欠きが形成され、前記シャフトは、前記切り欠きを介して前記芯に接続されることを特徴とするパターが開示されている。
【先行技術文献】
【特許文献】
【０００３】
【特許文献１】特開２０１８−８６２２６号公報
【発明の概要】
【発明が解決しようとする課題】
【０００４】
パターを用いたパッティングを行う際には重心位置が１つのポイントとなるため、ユーザに応じて適切な重心位置を探して調整できることが望ましい。
【０００５】
本発明の目的は、重心位置を調整可能なゴルフパター用ヘッド装置を提供することである。
【課題を解決するための手段】
【０００６】
本発明に係るゴルフパター用ヘッド装置は、平坦な表面を有するフェイス部と、前記フェイス部の裏面側に設けられ、重心の調整機構を有するキャビティ部と、を備え、前記キャビティ部は、前記裏面の先端側に設けられるトゥ部と、前記裏面の基端側に設けられるヒール部と、前記トゥ部から前記ヒール部に渡って伸び、頭部に設けられる工具孔が回されることで回転可能な螺子棒部と、前記螺子棒部に螺合し、前記回転により前記先端側又は前記基端側に移動可能な錘部と、を有することを特徴とする。
【０００７】
また、本発明に係るゴルフパター用ヘッド装置において、前記フェイス部は、前記裏面に前記錘部を案内するための案内溝を有し、前記錘部は、前記案内溝に案内されるように突出する突起部を有することが好ましい。
【０００８】
また、本発明に係るゴルフパター用ヘッド装置において、前記キャビティ部は、前記トゥ部と前記ヒール部の間に設けられた中央部をさらに有し、前記螺子棒部は、前記トゥ部から前記中央部に渡って伸びる第１棒部と、前記第１棒部とは独立して設けられ前記ヒール部から前記中央部に渡って伸びる第２棒部とを含み、前記錘部は、前記第１棒部に螺合し前記第１棒部の回転に応じて移動する第１錘部と、前記第２棒部に螺合し前記第２棒部の回転に応じて移動する第２錘部とを含むことが好ましい。
【発明の効果】
【０００９】
本発明によれば、重心位置を調整することが出来る。
【図面の簡単な説明】
【００１０】
【図１】本発明に係る第一実施形態のゴルフパター用ヘッド装置を示す図である。
【図２】本発明に係る第二実施形態のゴルフパター用ヘッド装置を示す図である。
【図３】本発明に係る第三実施形態のゴルフパター用ヘッド装置を示す図である。
【発明を実施するための形態】
【００１１】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１２】
図１は、ゴルフパター用ヘッド装置１０を示す図である。ゴルフパター用ヘッド装置１０は、ゴルフパターの重心を自在に変更できる装置である。ゴルフパター用ヘッド装置１０は、フェイス部１２と、キャビティ部１４とを備えている。
【００１３】
フェイス部１２は、平坦な表面を有し、ゴルフボールの打撃面を含んで構成される。フェイス部１２は、所定の厚みを有する板状部材である。フェイス部１２は、適度な強度を有する材質で構成されていればよく、例えば、金属（軟鉄、鋳鉄、アルミ、銅合金）などで構成することも出来る。
【００１４】
フェイス部１２のヒール側において、上面部から上方に延伸するシャフト部８が設けられている。シャフト部８の先端部には、ユーザが把持するためのグリップ部が設けられている。
【００１５】
フェイス部１２の表面（打撃面）と反対側である裏面には案内溝２４が後述するキャビティ部１４のトゥ部１６からヒール部１８にわたって形成されている。
【００１６】
キャビティ部１４は、トゥ部１６と、ヒール部１８と、錘部２０と、螺子棒部２２とを備えている。トゥ部１６は、略四角柱形状を有する部材であり、フェイス部１２の裏面のトゥ側（先端側）に裏面に対して起立するように固定した状態で設けられている。トゥ部１６は、適度な強度を有する材質で構成されていればよく、例えば、金属（軟鉄、鋳鉄、アルミ、銅合金）などで構成することも出来る。なお、図１に示されるように、トゥ部１６は螺子部１３によって固定されているが、螺子部１３を回すことでフェイス部１２から取り外すことが出来る。これにより、錘部２０について重量などを変更したものを取り換えて装着することが出来る。
【００１７】
ヒール部１８は、略四角柱形状を有する部材であり、フェイス部１２の裏面のヒール側（基端側）に裏面に対して起立するように固定した状態で設けられている。そして、トゥ部１６とヒール部１８には、螺子棒部２２が空転するための孔が形成されている。ヒール部１８は、適度な強度を有する材質で構成されていればよく、例えば、金属（軟鉄、鋳鉄、アルミ、銅合金）などで構成することも出来る。
【００１８】
螺子棒部２２は、トゥ部１６からヒール部１８に渡って伸び、頭部に設けられる工具孔２３が回されることで回転可能な螺子部材である。ここでは、工具孔２３は、プラスドライバーを用いて回転させるものとして説明するが、もちろん、マイナスドライバーを用いてもよい。適度な強度を有する材質で構成されていればよく、例えば、金属（軟鉄、鋳鉄、アルミ、銅合金）などで構成することも出来る。
【００１９】
なお、上記のように、トゥ部１６とヒール部１８には螺子棒部２２が空転するための孔が形成されて、螺子棒部２２はトゥ部１６とヒール部１８から外れることないように外れ防止機構が設けられている。例えば、頭部及び頭部と反対側の底部は凸形状を有しており、トゥ部１６及びヒール部１８に固定されるリングを用いて抜け落ちないようにすることが出来る。
【００２０】
錘部２０は、螺子棒部２２に螺合し、螺子棒部２２の回転によりトゥ部１６側又はヒール部１８側に移動可能で略四角柱形状の部材である。錘部２０のフェイス部１２側にはフェイス部１２の案内溝２４に案内されるように突出する突起部２６を有している。適度な強度を有する材質で構成されていればよく、例えば、金属（軟鉄、鋳鉄、アルミ、銅合金）などで構成することも出来る。
【００２１】
続いて、上記構成のゴルフパター用ヘッド装置１０の作用について説明する。ゴルフをするユーザはグリーン上などでゴルフパターを用いたパッティングを行うが、この際、重心位置・重心距離がポイントとなる。
【００２２】
例えば、ストロークするとヘッドが弧を描くように動くような前傾の浅い構えでユーザがパッティングする場合には重心距離の長い方が適切であると考えられており、ヘッドが真っ直ぐに動く前傾の深い構えでユーザがパッティングする場合には重心距離の短い方が好ましいと考えられている。
【００２３】
もちろん、ユーザによって身長や手の長さ、パッティングする際の体の傾斜などが異なるため、ユーザに応じて自在に重心位置を調整して最適な位置を探れることが好ましい。
【００２４】
本発明の実施形態に係るゴルフパター用ヘッド装置１０などによれば、プラスドライバー又はマイナスドライバーなどを用いて工具孔２３を回すことで螺子棒部２２が回転する。
【００２５】
この回転に応じて、錘部２０も回転しようとするが、錘部２０の突起部２６がフェイス部１２の案内溝２４に案内されるため、錘部２０自体の回転が規制されて、錘部２０がトゥ部１６又はヒール部１８側に移動し、工具孔２３の回転方向を反対方向に回すと錘部２０も反対側に移動する。
【００２６】
このように、工具孔２３の回転を調整することで錘部２０の位置を自由自在に変えることが出来るため、ユーザは錘部２０を変えつつパッティングのテストを行い、ユーザ自身に最適な位置を探して設定することが出来るという顕著な効果を奏する。
【００２７】
次に、本発明に係る実施形態のゴルフパター用ヘッド装置１０ａについて説明する。図２は、ゴルフパター用ヘッド装置１０ａを示す図である。ゴルフパター用ヘッド装置１０ａは、ゴルフパターの重心を自在に変更できる装置である。ゴルフパター用ヘッド装置１０は、フェイス部１２ａと、キャビティ部１４ａとを備えている。
【００２８】
フェイス部１２ａは、平坦な表面を有し、ゴルフボールの打撃面を含んで構成され、所定の厚みを有する板状部材であり、フェイス部１２とほぼ同一の構成であるため、以下では相違点のみ説明する。
【００２９】
フェイス部１２ａの裏面は、フェイス部１２のように案内溝２４は存在せず平坦である。フェイス部１２ａのトゥ（先端）側にはトゥ部１６が設けられており、フェイス部１２ａのヒール（基端）側にはヒール部１８が設けられている。
【００３０】
錘部２０ａは、フェイス部１２の錘部２０とは異なり、突起部２６は存在せずに平坦な面がフェイス部１２ａの裏面に全面が接触している。したがって、プラスドライバーなどを用いて工具孔２３を回して螺子棒部２２を回転させた場合に、錘部２０ａはフェイス部１２の裏面に擦動しつつ移動することとなる。なお、図２に示されるように、トゥ部１６は螺子部１３ａによって固定されているが、螺子部１３ａを回すことでフェイス部１２から取り外すことが出来る。これにより、錘部２０ａについて重量などを変更したものを取り換えて装着することが出来る。
【００３１】
続いて、上記構成のゴルフパター用ヘッド装置１０ａの作用について説明する。上述したように、ユーザはグリーン上などでゴルフパターを用いたパッティングを行う際には、重心位置・重心距離がポイントとなる。
【００３２】
ゴルフパター用ヘッド装置１０ａなどによれば、プラスドライバー又はマイナスドライバーなどを用いて工具孔２３を回すことで螺子棒部２２が回転する。
【００３３】
この回転に応じて、錘部２０ａも回転しようとするが、錘部２０ａの側面とフェイス部１２ａの裏面とが接触しているため、錘部２０ａ自体の回転が規制されて、錘部２０ａがトゥ部１６又はヒール部１８側に移動し、工具孔２３の回転方向を反対方向に回すと錘部２０ａも反対側に移動する。
【００３４】
したがって、ゴルフパター用ヘッド装置１０ａにおいても、工具孔２３の回転を調整することで錘部２０ａの位置を自由自在に変えることが出来るため、ユーザは錘部２０ａの位置を変えつつパッティングのテストを行い、ユーザ自身に最適な位置を探して設定することが出来るという顕著な効果を奏する。
【００３５】
次に、本発明に係る実施形態のゴルフパター用ヘッド装置１０ｂについて説明する。図３は、ゴルフパター用ヘッド装置１０ｂを示す図である。ゴルフパター用ヘッド装置１０ｂは、ゴルフパターの重心を自在に変更できる装置である。ゴルフパター用ヘッド装置１０は、フェイス部１２ｂと、キャビティ部１４ｂとを備えている。
【００３６】
フェイス部１２ｂは、平坦な表面を有し、ゴルフボールの打撃面を含んで構成され、所定の厚みを有する板状部材であり、フェイス部１２ａとほぼ同一の構成であるため、以下では相違点のみ説明する。
【００３７】
フェイス部１２ｂの裏面には、フェイス部１２ｂと同様に案内溝２４は存在せず平坦である。フェイス部１２ｂのトゥ（先端）側にはトゥ部１６が設けられており、フェイス部１２ｂのヒール（基端）側にはヒール部１８が設けられている。
【００３８】
そして、キャビティ部１４ｂは、キャビティ部１４，１４ａとは異なり、トゥ部１６とヒール部１８の間に設けられた中央部１７をさらに有している。中央部は、トゥ部１６とヒール部１８とほぼ同一の構造であり、フェイス部１２ｂの裏面に固定されている。
【００３９】
螺子棒部２２Ｃは、第１棒部２２Ａと第２棒部２２Ｂとを備えている。第１棒部２２Ａは、トゥ部１６から中央部１７に渡って伸びており、螺子棒部２２とほぼ同一の構造である。第２棒部２０Ｂは、第１棒部２２Ａとは独立して設けられ、ヒール部１８から中央部１７に渡って伸びており、螺子棒部２２とほぼ同一の構造である。
【００４０】
なお、図３に示されるように、トゥ部１６は螺子部１３ｂによって固定されているが、螺子部１３ｂを回すことでフェイス部１２から取り外すことが出来る。これにより、錘部２０Ｂについて重量などを変更したものを取り換えて装着することが出来る。
【００４１】
また、ヒール部１８は螺子部１３ｃによって固定されているが、螺子部１３ｃを回すことでフェイス部１２から取り外すことが出来る。これにより、錘部２０Ａについて重量などを変更したものを取り換えて装着することが出来る。
【００４２】
錘部２０Ｃは、第１錘部２０Ａと第２錘部２０Ｂとを備えている。第１錘部２０Ａは、第１棒部２２Ａに螺合し第１棒部２２Ａの回転に応じて移動する機能を有している。第１錘部２０Ａは、フェイス部１２の錘部２０とは異なり、突起部２６は存在せずに平坦な面がフェイス部１２ｂの裏面に全面が接触している。なお、第１錘部２０Ａは、錘部２０とほぼ同一の構造である。
【００４３】
したがって、プラスドライバーなどを用いて工具孔２３Ａを回して第１棒部２２Ａを回転させた場合に、第１錘部２０Ａはフェイス部１２ｂの裏面に擦動しつつ移動することとなる。
【００４４】
第２錘部２０Ｂは、第２棒部２２Ｂに螺合し第２棒部２２Ｂの回転に応じて移動する機能を有している。第２錘部２０Ｂは、フェイス部１２の錘部２０とは異なり、突起部２６は存在せずに平坦な面がフェイス部１２ｂの裏面に全面が接触している。
【００４５】
なお、第１錘部２０Ａは、錘部２０とほぼ同一の構造である。したがって、プラスドライバーなどを用いて工具孔２３Ｂを回して第２棒部２２Ｂを回転させた場合に、第２錘部２０Ｂはフェイス部１２ｂの裏面に擦動しつつ移動することとなる。
【００４６】
続いて、上記構成のゴルフパター用ヘッド装置１０ｂの作用について説明する。上述したように、ユーザはグリーン上などでゴルフパターを用いたパッティングを行う際には、重心位置・重心距離がポイントとなる。
【００４７】
ゴルフパター用ヘッド装置１０ｂなどによれば、プラスドライバー又はマイナスドライバーなどを用いて、工具孔２３Ａを回すことで第１棒部２２Ａが回転し、工具孔２３Ｂを回すことで第２棒部２２Ｂが回転する。
【００４８】
これらの回転に応じて、第１錘部２０Ａ及び第２錘部２０Ｂも回転しようとするが、第１錘部２０Ａ及び第２錘部２０Ｂの側面とフェイス部１２ａの裏面とが接触しているため、第１錘部２０Ａ及び第２錘部２０Ｂ自体の回転が規制されて、第１錘部２０Ａ及び第２錘部２０Ｂがトゥ部１６又はヒール部１８側に移動し、工具孔２３Ａ，２３Ｂの回転方向を反対方向に回すと第１錘部２０Ａ及び第２錘部２０Ｂも反対側に移動する。
【００４９】
したがって、ゴルフパター用ヘッド装置１０ｂにおいても、工具孔２３Ａ，２３Ｂの回転を調整することで第１錘部２０Ａ及び第２錘部２０Ｂの位置を自由自在に変えることが出来るため、ユーザは第１錘部２０Ａ及び第２錘部２０Ｂの位置を変えつつパッティングのテストを行い、ユーザ自身に最適な位置を探して設定することが出来るという顕著な効果を奏する。
【００５０】
なお、ゴルフパター用ヘッド装置１０ａ，１０ｂ，１０ｃにおいて、錘部２０，２０ａ，２０Ａ，２０Ｂの重量は、別部材を螺子を用いて結合することで適宜調整することも可能である。
【符号の説明】
【００５１】
８  シャフト部、１０，１０ａ，１０ｂ  ゴルフパター用ヘッド装置、１２，１２ａ，１２ｂ  フェイス部、１４，１４ａ，１４ｂ  キャビティ部、１６  トゥ部，１７  中央部，１８  ヒール部，２０，２０ａ，２０Ｃ  錘部，２０Ａ  第１錘部，２０Ｂ  第２棒部，２２，２２Ｃ  螺子棒部，２２Ａ  第１棒部，２２Ｂ  第２棒部，２３，２３Ａ，２３Ｂ  工具孔、２４  案内溝、２６  突起部。
【図１】
2020078370.tif 000003
【図２】
2020078370.tif 000004
【図３】
2020078370.tif 000005
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
平坦な表面を有するフェイス部と、
前記フェイス部の裏面側に設けられ、重心の調整機構を有するキャビティ部と、
を備え、
前記キャビティ部は、
前記裏面の先端側に設けられ、螺子部材を用いて前記フェイス部に固定されるトゥ部と、
前記裏面の基端側に設けられるヒール部と、
前記トゥ部から前記ヒール部に渡って伸び、頭部に設けられる工具孔が回されることで回転可能な螺子棒部と、
前記螺子棒部に螺合し、前記回転により前記先端側又は前記基端側に移動可能な錘部と、
を有し、
前記トゥ部は、前記錘部と重量の異なる錘部を前記螺子棒部に螺合させるために、前記螺子部材を緩めて前記フェイス部から取り外し可能な構造を有することを特徴とするゴルフパター用ヘッド装置。
【請求項２】
請求項１に記載のゴルフパター用ヘッド装置において、
前記フェイス部は、前記裏面に前記錘部を案内するための案内溝を有し、
前記錘部は、前記案内溝に案内されるように突出する突起部を有することを特徴とするゴルフパター用ヘッド装置。
【請求項３】
請求項１または請求項２に記載のゴルフパター用ヘッド装置において、
前記キャビティ部は、
前記トゥ部と前記ヒール部の間に設けられた中央部をさらに有し、
前記螺子棒部は、前記トゥ部から前記中央部に渡って伸びる第１棒部と、前記第１棒部とは独立して設けられ前記ヒール部から前記中央部に渡って伸びる第２棒部とを含み、
前記錘部は、前記第１棒部に螺合し前記第１棒部の回転に応じて移動する第１錘部と、前記第２棒部に螺合し前記第２棒部の回転に応じて移動する第２錘部とを含むことを特徴とするゴルフパター用ヘッド装置。
【手続補正２】
【補正対象書類名】明細書
【補正対象項目名】０００８
【補正方法】変更
【補正の内容】
【０００８】
本発明に係るゴルフパター用ヘッド装置は、平坦な表面を有するフェイス部と、前記フェイス部の裏面側に設けられ、重心の調整機構を有するキャビティ部と、を備え、前記キャビティ部は、前記裏面の先端側に設けられ、螺子部材を用いて前記フェイス部に固定されるトゥ部と、前記裏面の基端側に設けられるヒール部と、前記トゥ部から前記ヒール部に渡って伸び、頭部に設けられる工具孔が回されることで回転可能な螺子棒部と、前記螺子棒部に螺合し、前記回転により前記先端側又は前記基端側に移動可能な錘部と、を有し、前記トゥ部は、前記錘部と重量の異なる錘部を前記螺子棒部に螺合させるために、前記螺子部材を緩めて前記フェイス部から取り外し可能な構造を有することを特徴とする。